(57)【要約】【課題】ロータリ整形機に適用されるゲージ輪構造であって、畦の脇の平坦性を向上させ得る構造簡単なゲージ輪構造を提供する。【解決手段】ロータリ整形機４００に適用されるゲージ輪構造５００は、ゲージ輪フレーム４６２と、ゲージ輪アーム４６３と、ゲージ輪４６４と、整地板４６６とを備え、ゲージ輪４６４が接地している状態において、整地板４６６の少なくとも一部が該整地板４６６の自重によってゲージ輪４６４の接地面Ｓに接地するように構成されている。【選択図】図１０
2008035765.tif 000002
【特許請求の範囲】
【請求項１】
ロータリ整形機に適用されるゲージ輪構造であって、
前記ロータリ整形機のフレーム体に対して位置調整可能に連結されたゲージ輪フレームと、
上下方向に延びるように前記ゲージ輪フレームに支持されたゲージ輪アームと、
前記ロータリ整形機における整形板より車輌幅方向外方に位置するように前記ゲージ輪アームに車輌幅方向に沿った軸線回り回転自在に支持されたゲージ輪と、
前記整形板より車輌幅方向外方に位置するように前記ゲージ輪アームに車輌幅方向に沿った軸線回り揺動自在に支持された整地板とを備え、
前記ゲージ輪が接地している状態において、前記整地板の少なくとも一部が該整地板の自重によって前記ゲージ輪の接地面に接地するように構成されていることを特徴とするゲージ輪構造。
【請求項２】
前記整地板は、前記ゲージ輪アームに対して上下位置調整可能に固定されていることを特徴とする請求項１に記載のゲージ輪構造。
【請求項３】
前記整地板には、上面及び下面を貫通するスリットが設けられ、
前記ゲージ輪は、前記スリットを介して接地するように構成されており、
前記スリットの前端部が前記ゲージ輪に当接する姿勢と前記スリットの後端部が前記ゲージ輪に当接する姿勢との間で前記整地板が揺動可能とされていることを特徴とする請求項１又は２に記載のゲージ輪構造。
【請求項４】
前記ゲージ輪の外周面の少なくとも一部と対向するように前記ゲージ輪アームに設けられた土除け部材を備えていることを特徴とする請求項１から３の何れかに記載のゲージ輪構造。
【発明の詳細な説明】
【技術分野】
【０００１】
本発明は、ロータリ整形機に適用されるゲージ輪構造に関する。
【背景技術】
【０００２】
ロータリ整形機における耕耘軸の耕耘深さを設定する為のゲージ輪構造は、従来から広く利用されている（例えば、下記特許文献１参照）。
詳しくは、前記従来のゲージ輪構造は、前記ロータリ整形機のフレーム体に対して位置調整可能に連結されたゲージ輪フレームと、上下方向に延びるように前記ゲージ輪フレームに支持されたゲージ輪アームと、前記ロータリ整形機における整形板より車輌幅方向外方に位置するように前記ゲージ輪アームに車輌幅方向に沿った軸線回り回転自在に支持されたゲージ輪とを備えており、前記フレーム体に対する前記ゲージ輪の上下方向相対位置を調整することにより、耕耘軸の耕耘深さを設定し得るようになっている。
【０００３】
しかしながら、従来のゲージ輪構造は、単にゲージ輪が備えられているだけであった為、前記整形板によって形成される畦（うね）の脇に前記ゲージ輪の走行跡が残り、畦の脇の平坦性を得られないという問題があった。
特に、軟弱な圃場に畦を形成する場合には、該畦の脇に前記ゲージ輪の走行跡に起因する凹部が形成されると、前記凹部に水が溜まってしまい、作業者が畦の脇を利用して行う場合の作業性が損なわれることになる。
【０００４】
なお、下記特許文献２には、ゲージ輪アームに回転自在に支持されたゲージ輪と、底面が前記ゲージ輪の下端部より上方に位置するように前記ゲージ輪アームに固定設置された舟体とを備えたゲージ輪構造が記載されている。
しかしながら、前記特許文献２に記載のゲージ輪構造は、前記舟体によって前記ゲージ輪が土壌中に埋没することを防止するものであり、前記ゲージ輪に起因する前記凹部の発生を防止し得るものではない。
【特許文献１】特開平１１−２８９８０７号公報
【特許文献２】実公昭３１−２５０７号公報
【発明の開示】
【発明が解決しようとする課題】
【０００５】
本発明は、前記従来技術に鑑みなされたものであり、ロータリ整形機に適用されるゲージ輪構造であって、畦の脇の平坦性を向上させ得る構造簡単なゲージ輪構造の提供を、一の目的とする。
【課題を解決するための手段】
【０００６】
本発明は前記目的を達成する為に、ロータリ整形機に適用されるゲージ輪構造であって、前記ロータリ整形機のフレーム体に対して位置調整可能に連結されたゲージ輪フレームと、上下方向に延びるように前記ゲージ輪フレームに支持されたゲージ輪アームと、前記ロータリ整形機における整形板より車輌幅方向外方に位置するように前記ゲージ輪アームに車輌幅方向に沿った軸線回り回転自在に支持されたゲージ輪と、前記整形板より車輌幅方向外方に位置するように前記ゲージ輪アームに車輌幅方向に沿った軸線回り揺動自在に支持された整地板とを備え、前記ゲージ輪が接地している状態において、前記整地板の少なくとも一部が該整地板の自重によって前記ゲージ輪の接地面に接地するように構成されていることを特徴とするゲージ輪構造を提供する。
なお、前記ゲージ輪の接地面には、前記ゲージ輪が地面に接地する前の該地面のゲージ輪進行方向下流側部分の接地面及び前記ゲージ輪が地面に接地した後の該地面のゲージ輪進行方向上流側部分の接地面が含まれる。
【０００７】
本発明に係るゲージ輪構造において、前記整地板は、前記ゲージ輪アームに対して上下位置調整可能に固定されていてもよい。
【０００８】
又、本発明に係るゲージ輪構造において、前記整地板には、上面及び下面を貫通するスリットが設けられ、前記ゲージ輪は、前記スリットを介して接地するように構成されており、前記スリットの前端部が前記ゲージ輪に当接する姿勢と前記スリットの後端部が前記ゲージ輪に当接する姿勢との間で前記整地板が揺動可能とされている態様を例示できる。
【０００９】
又、本発明に係るゲージ輪構造において、前記ゲージ輪の外周面の少なくとも一部と対向するように前記ゲージ輪アームに設けられた土除け部材を備えていてもよい。
【発明の効果】
【００１０】
本発明に係るゲージ輪構造によれば、前記整形板より車輌幅方向外方に位置するように前記ゲージ輪アームに車輌幅方向に沿った軸線回り揺動自在に支持された前記整地板を備え、前記ゲージ輪が接地している状態において、前記整地板の少なくとも一部が該整地板の自重によって前記接地面に接地するように構成されているので、前記ロータリ整形機が前記整形板によって畦を形成する際に、該畦の脇において、前記整地板が前記接地面に応じて車輌幅方向に沿った軸線回りに揺動されるように該接地面を整地でき、これにより、該形成される畦の脇の平坦性を向上させることができる。
【００１１】
又、前記整地板は、前記ゲージ輪アームに対して上下位置調整可能に固定されている場合には、前記整地板の前記ゲージ輪アームに対する上下方向相対位置を調整できるので、前記整地板が前記接地面に良好に接地させることができる。
【００１２】
又、前記整地板には、前記スリットが設けられ、前記ゲージ輪は、前記スリットを介して接地するように構成されており、前記スリットの前端部が前記ゲージ輪に当接する姿勢と前記スリットの後端部が前記ゲージ輪に当接する姿勢との間で前記整地板が揺動可能とされている場合には、前記整地板の揺動範囲を前記スリットの前端部及び後端部で規制することができる。
【００１３】
又、前記ゲージ輪の外周面の少なくとも一部と対向するように前記ゲージ輪アームに設けられた土除け部材を備えている場合には、前記ゲージ輪の外周面に付着する土を効果的に除去することができ、これにより、前記ゲージ輪の走行性を向上させることができる。
【発明を実施するための最良の形態】
【００１４】
以下、本発明に係るゲージ輪構造の一実施の形態について添付図面を参照しつつ説明する。
図１は、本実施の形態に係るゲージ輪構造が適用されたロータリ整形機を付設する作業車輌の概略側面図である。
【００１５】
図１に示す如く、乗用トラクタの形態をなす前記作業車輌１００は、作業車輌本機５０と、該本機５０の後部に連結されたロータリ整形機４００とを備えている。
前記本機５０は、走行機体１と、該走行機体１を支持する左右一対の前車輪２及び左右一対の後車輪３と、該走行機体１の前部に搭載されたエンジン４とを備えており、前記エンジン４からの動力によって前記後車輪３及び前記前車輪２を作動的に駆動することにより、前後進走行するように構成されている。なお、図中の符号５は前記エンジン４を覆うボンネットである。
【００１６】
前記走行機体１は、前バンパ１１及び前車軸ケース１２を有するエンジンフレーム１３と、該エンジンフレーム１３の後部にボルトにて着脱自在に固定される左右の機体フレーム１５とを有している。
前記機体フレーム１５の後部には、前記エンジン４の回転を適宜変速してそれぞれ後輪軸３ａ及び前輪軸２ａを介して前記後車輪３及び前記前車輪２に伝達するためのミッションケース１６が連結されている。
なお、前記ミッションケース１６の後端面には、前記ロータリ整形機４００の駆動力を出力する為のＰＴＯ軸１８が後向きに突出するように設けられている。
【００１７】
さらに、前記作業車輌１００は、前記走行機体１の上面に設けられたキャビン６を有している。該キャビン６の内部には、操縦座席７と、かじ取りすることによって前記前車輪２の操向方向を左右に動かすように構成された操縦ハンドル（丸ハンドル）８とが設置されている。該操縦ハンドル８は、前記操縦座席７の前方に位置する操縦コラム１９上に設けられている。
又、前記キャビン６内には、さらに、前記走行機体１を制動操作するための左右ブレーキペダル２０と、前記エンジン４から前記前車輪２及び前記後車輪３への動力伝達の係脱操作を行う為のクラッチペダル２１と、前記ロータリ整形機４００の高さ位置を手動で変更操作するための上下位置設定手段として作用する作業機昇降レバー２２と、前記ＰＴＯ軸１８からの出力を変速操作する為のＰＴＯ変速レバー２３と、前記本機５０の走行速度を変速操作する為の走行変速レバー２４と、前記エンジン４から前記後車輪３への動力伝達経路に介挿されるディファレンシャル機構をロック操作する為のデフロックペダル２５とが配置されている。
前記キャビン６の外側部には、作業者が乗降するステップ９が設けられ、該ステップ９より内側で且つ該キャビン６の底部より下側には、前記エンジン４に燃料を供給する燃料タンク１０が設けられている。
【００１８】
前記ロータリ整形機４００は、作業車輌本機（ここでは、ミッションケース１６の後部）に、リンク機構３００を介して上下揺動可能に連結されている。
本実施の形態においては、前記リンク機構３００は、トップリンク３２０及び左右一対のロワーリンク３１１，３１２を備えた３点リンク機構とされている。
【００１９】
前記左右一対のロワーリンク３１１，３１２は、前端側が前記ミッションケース１６後部の左右側面のそれぞれにロワーリンクピン３１３を介して回動可能に連結され、且つ、後端側がヒッチフレーム３１０の下端部に下ヒッチピン３１４を介して連結されている。
前記トップリンク３２０は、前端側が下記作業機用昇降機構２００の後部のトップリンクヒッチ２１０にトップリンクピン２１１を介して連結され、且つ、後端側が下記上リンクフレーム４０１の前端側に上ヒッチピン３２１を介して連結されている。
詳しくは、前記トップリンク３２０は、ターンバックル３２０ａの回転にて伸縮されて、該トップリンク３２０の長さを変更調節可能となるように構成されている。
【００２０】
前記ミッションケース１６の後部上面には、前記ロータリ整形機４００を昇降動する為の油圧式作業機用昇降機構２００が着脱可能に取付けられている。
油圧式の作業機用昇降機構２００は、昇降用アクチュエータとして作用する単動形の昇降制御油圧シリンダ（図示せず）と、該油圧シリンダにおけるピストンによって作動的に回動される左右一対のリフトアーム２２１，２２２とを有している。
【００２１】
進行方向に向かって左側の前記リフトアーム２２１は、左リフトロッド２３１を介して対応する左側の前記ロワーリンク３１１に連結されている。
進行方向に向かって右側の前記リフトアーム２２２は、右リフトロッド２３２を介して対応する右側の前記ロワーリンク３１２に連結されている。
つまり、前記ロータリ整形機４００は、前記昇降制御油圧シリンダによって前記左右一対のリフトアーム２２１，２２２が車輌幅方向に沿った回動軸回りに揺動することで、前記トップリンク３２０及び前記一対のロワーリンク３１１，３１２の前端部回りに昇降するようになっている。
【００２２】
なお、前記右リフトロッド２３２には、前記ロータリ整形機４００を前記本機５０に対して傾動させる傾動用アクチュエータとして作用する複動形の傾斜制御油圧シリンダ２４０が介挿されている。
つまり、前記ロータリ整形機４００は、前記傾斜制御油圧シリンダ２４０のピストンロッド２４１が進退することによって、前記左右一対のリフトロッド２３１，２３２の他方（ここでは、左リフトロッド２３１）と該他方のリフトロッド２３１に対応したロアーリンク３１１との連結点（即ち、前記ロータリ整形機４００の車輌幅方向中心位置から一方側へ変位された位置）を支点Ｑとして、傾動するようになっている。
【００２３】
図２は、図１に示す作業車輌１００におけるロータリ整形機４００部分を示す図であって、図２（ａ）は、該ロータリ整形機４００の概略側面図であり、図２（ｂ）は、該ロータリ整形機４００において、カバー部材等の一部の部材を取り外した状態を示す概略側面図である。
又、図３は、図１に示すロータリ整形機４００を左斜め上後方から視た概略斜視図であり、図４は、図１に示すロータリ整形機４００を斜め下後方から視た概略斜視図である。
なお、図４においては、後述する整形前部上面カバー４２５等を取り外した状態を示している。
【００２４】
図１から図４に示すように、前記ロータリ整形機４００は、耕耘部４１０と、整形部４２０と、本実施の形態に係るゲージ輪構造５００とを備えている。なお、前記ゲージ輪構造５００については、のちほど詳述する。
前記耕耘部４１０は、耕耘軸４１１と、耕耘爪４１２とを有している。
前記耕耘軸４１１は、前記本機５０に設けられた前記ＰＴＯ軸１８によって作動的に（ここでは両端に自在継手が備えられた伝動軸４５２を介して）駆動されるように構成されている。
そして、前記耕耘爪４１２は、前記耕耘軸４１１に設けられている。
【００２５】
図５に、前記耕耘部４１０の耕耘用動力伝動機構部分の展開断面図を示す。
前記耕耘部４１０は、前記耕耘軸４１１及び前記耕耘爪４１２に加えて、入力軸４１３と、ギヤケース４１４と、従動軸４１５と、メインビーム４１６と、耕耘用伝動ケース４１７と、耕耘用伝動機構４１８とを備えている。
【００２６】
本実施の形態においては、前記耕耘部４１０は、前記従動軸４１５，前記メインビーム４１６，前記耕耘用伝動ケース４１７，前記耕耘用伝動機構４１８及び前記耕耘軸４１１を左右一対備えている。
斯かる形態においては、例えば、前記入力軸４１３からの動力を車輌幅方向の両外端部において前記耕耘軸４１１，４１１にそれぞれ伝達するように構成することができる。
なお、図５では、一対の構成のうち、一方（ここでは進行方向に向かって右側）の構成を示しているが、他方の構成は、後述する動力取出機構４３０の第１伝動プーリー４３１が設けられていないことを除いて前記一方の構成と実質的に同一構成を備えている。
従って、図５においては、前記一方の構成に代表させて示している。
【００２７】
前記入力軸４１３は、前記ＰＴＯ軸１８に作動連結されるように構成されている。
詳しくは、前記入力軸４１３は、前記ＰＴＯ軸１８に前記伝動軸４５２を介して作動連結されるように構成されており、前記エンジン４からの動力が該ＰＴＯ軸１８及び前記伝動軸４５２を介して伝達されるようになっている。
【００２８】
前記ギヤケース４１４は、前記入力軸４１３を車輌前後方向に沿うように支持しており、前記従動軸４１５，４１５は、前記入力軸４１３に作動連結された状態で車輌幅方向に沿って延びている。
詳しくは、前記従動軸４１５，４１５は、前記入力軸４１３を挟んで左右に延びており、該入力軸４１３からの動力が駆動伝達機構３５０によって伝達されるように、該駆動伝達機構３５０を介して該入力軸４１３に作動連結されている。
【００２９】
具体的には、前記従動軸４１５，４１５は同軸上に一体的に連結されており、前記駆動伝達機構３５０は、前記ギヤケース４１４に収容される第１及び第２ベベルギヤ３５１，３５２を備えている。
前記ギヤケース４１４は、前記入力軸４１３を軸線回り回転自在に支持すると共に、該入力軸４１３に対して直交するように配置された前記従動軸４１５，４１５を軸線回り回転自在に支持している。
前記第１ベベルギヤ３５１は、前記ギヤケース４１４内に収容された状態で、前記入力軸４１３に外嵌固定されている。前記第２ベベルギヤ３５２は、前記ギヤケース４１４内に収容された状態で、前記第１ベベルギヤ３５１と噛合するように、前記従動軸４１５，４１５の一方に外嵌固定されている。
なお、上リンクフレーム４０１は、前記ギヤケース４１４にボルト等の固定部材４０２によって固定されている（図３参照）。
【００３０】
前記メインビーム４１６，４１６は、前記従動軸４１５，４１５を軸線回り回転自在に支持するように前記ギヤケース４１４の車輌幅方向の両側に連結されており、前記耕耘用伝動ケース４１７，４１７は、上下方向に延びるように前記メインビーム４１６，４１６の車輌幅方向外端部に連結されている。
詳しくは、前記メーンビーム４１６，４１６は、前記ギヤケース４１４の側面と前記耕耘用伝動ケース４１７，４１７の上端部とを連結するように配設されており、前記従動軸４１５，４１５が内挿されている。
【００３１】
本実施の形態では、前記メーンビーム４１６，４１６及び前記従動軸４１５，４１５は、車輌幅方向に伸縮可能とされている。
このように前記耕耘部４１０は、前記メーンビーム４１６，４１６及び前記従動軸４１５，４１５が車輌幅方向に伸縮されることで、耕耘幅を調整できるようになっている。
【００３２】
詳しくは、前記従動軸４１５，４１５は、軸線方向位置が固定された状態で前記入力軸４１３に作動連結された位置固定従動軸４１５ａと、前記位置固定従動軸４１５ａに軸線方向移動可能な状態で軸線回り相対回転不能に連結される位置可動従動軸４１５ｂとを有している。
具体的には、前記位置可動従動軸４１５ｂは、筒状部材４１５ｂ’を有しており、該筒状部材４１５ｂ’の車輌幅方向内端部が前記位置固定従動軸４１５ａの車輌幅方向外端部に車輌幅方向摺動自在且つ軸線回り相対回転不能に外嵌されている。
【００３３】
前記メインビーム４１６，４１６は、前記位置固定従動軸４１５ａを支持する固定ビーム４１６ａと、前記固定ビーム４１６ａに対して軸線方向移動可能に連結される可動ビーム４１６ｂとを有している。
具体的には、前記固定ビーム４１６ａは、前記位置固定従動軸４１５ａを内挿し且つ前記可動ビーム４１６ｂを内嵌可能な中空部材（例えば、横長筒状の部材）とされており、前記可動ビーム４１６ｂは、前記位置可動従動軸４１５ｂを内挿可能な中空部材（例えば、横長筒状の部材）とされている。
又、前記可動ビーム４１６ｂは、前記位置可動従動軸４１５ｂを内挿した状態で前記固定ビーム４１６ａの車輌幅方向外端部に車輌幅方向摺動自在に嵌装されており、固定部材ＢＬ（例えば、固定ボルト）によって固定されるようになっている。
【００３４】
前記耕耘用伝動ケース４１７，４１７は、上端部の軸受部４１７ａが前記従動軸４１５，４１５の他端部側を軸線回り回転自在に支持しており、下端部の軸受部４１７ｂが前記耕耘軸４１１，４１１の一端部側を軸線回り回転自在に支持している。
【００３５】
前記耕耘用伝動機構４１８，４１８は、前記耕耘用伝動ケース４１７，４１７に収容されており、前記従動軸４１５，４１５の車輌幅方向外端部に作動連結された入力部４１８ａ及び前記入力部４１８ａより下方に位置する出力部４１８ｂを有している。
詳しくは、前記耕耘軸４１１，４１１は、前記耕耘用伝動機構４１８，４１８によって駆動されるように構成されている。即ち、前記耕耘軸４１１，４１１は、前記従動軸４１５，４１５からの動力が前記耕耘用伝動機構４１８，４１８によって伝達されるように、該耕耘用伝動機構４１８，４１８を介して該従動軸４１５，４１５に作動連結されている。
【００３６】
具体的には、前記耕耘用伝動機構４１８，４１８は、第１及び第２スプロケット４１８ｃ，４１８ｄと、チェーン４１８ｅとを備えている。
前記第１スプロケット４１８ｃは、前記従動軸４１５，４１５の他端部側に外嵌固定されており、前記第２スプロケット４１８ｄは、前記耕耘軸４１１，４１１の一端部側に外嵌固定されている。そして、前記チェーン４１８ｅは、前記第１及び第２スプロケット４１８ｃ，４１８ｄに巻掛けられている。
【００３７】
前記耕耘爪４１２は、前記耕耘軸４１１，４１１に軸線回り相対回転不能に設けられている。
又、前記耕耘軸４１１，４１１は、前記出力部４１８ｂに作動連結された状態で車輌幅方向に沿って延びるように前記耕耘用伝動ケース４１７に支持されている。
【００３８】
なお、本実施の形態では、前記耕耘部４１０は、前記従動軸４１５，前記メインビーム４１６，前記耕耘用伝動ケース４１７，前記耕耘用伝動機構４１８及び前記耕耘軸４１１を左右一対備えているが、耕耘部全幅で耕耘する必要がある為、図４及び図５に示すように、前記耕耘軸４１１，４１１の車輌幅方向内端部同士を耕耘爪４１２を有するカップリング等の連結部材４７０を介して相対回転不能に連結している。
【００３９】
ここでは、前記耕耘軸４１１，４１１は、車輌幅方向に移動可能に互いの対向端部が連結部材４７０を介して連結されている。こうすることで、前記耕耘軸４１１，４１１は、それぞれ、前記メーンビーム４１６，４１６及び前記従動軸４１５，４１５の車輌幅方向の伸縮の伴い、車輌幅方向に移動できるようになっている。
詳しくは、前記第耕耘軸４１１，４１１は、それぞれ、車輌幅方向内端部４１１ａが筒状の連結部材４７０に車輌幅方向摺動自在且つ軸線回り相対回転不能に外嵌されているようになっている。好ましくは、前記耕耘軸４１１，４１１と前記連結部材４７０とは、固定部材ＢＬ（例えば、固定ボルト）によって固定される。又、前記連結部材４７０に前記耕耘爪４１２が設けられている。
【００４０】
又、本実施の形態では、前記入力軸４１３からの動力を車輌幅方向の両外端部において前記耕耘軸４１１，４１１に伝達するように構成されているが、当然ながら、単一の耕耘用伝動ケース及び軸受板によって、単一の耕耘軸を支持することも可能である。
斯かる形態においては、前記入力軸４１３からの動力を車輌幅方向の一方の外端部において単一の耕耘軸に伝達するサイドドライブロータリタイプの構成や、或いは、前記入力軸４１３からの動力を車輌幅方向中央部において単一の耕耘軸に伝達するセンタードライブロータリタイプの構成を例示できる。
【００４１】
図１から図４に示すように、前記耕耘部４１０は、前記構成に加えて、耕耘カバー４１９を備えている。
前記耕耘カバー４１９は、前記耕耘爪４１２の回転軌跡Ｋ２の上方を覆うように配置された耕耘上面カバー４１９ａと、前記耕耘上面カバー４１９ａの車輌幅方向両端部に設けられた左右一対の耕耘サイドカバー４１９ｂ，４１９ｂとを備えている。
【００４２】
又、前記整形部４２０は、前記耕耘部４１０より車輌後方側に配設されており、整形板４２１と、砕土軸４２２と、砕土部材４２３とを有している。
前記整形板４２１は、前記耕耘部４１０によって耕耘された土Ｇ’を畦形状に整形するように構成されている。
前記砕土軸４２２は、前記整形板４２１によって整形された畦Ｆの上部Ｔを砕土し得るように前記ＰＴＯ軸１８からの動力によって作動的に駆動されている。
そして、前記砕土部材４２３は、前記砕土軸４２２に設けられている。
【００４３】
なお、前記砕土部材４２３は、前記砕土軸４２２に対して径方向外方に延びるように設けられた爪状のものであってもよいが、本実施の形態においては、図４に示すように、前記砕土軸４２２に外挿されるベース部４２３ａと、前記ベース部４２３ａの径方向外方部から軸線方向へ延びるロッド部４２３ｂとを有するものとされている。
前記砕土部材４２３は、ここでは、前記砕土軸４２２に複数取り付けられている。
【００４４】
本実施の形態においては、前記砕土軸４２２は、前記ＰＴＯ軸１８から前記耕耘軸４１１への動力伝達経路から分岐された動力によって駆動されるようになっている。
図６に、前記ロータリ整形機４００の動力取出機構及び砕土用伝動機構部分を右斜め上後方から視た概略斜視図を示す。
前記整形部４２０は、前記砕土軸４２２及び前記砕土部材４２３に加えて、図６に示すように、動力取出機構４３０と、砕土用伝動機構４４０と、前記砕土用伝動機構４４０を収容する砕土用伝動ケース４５０とを備えており、前記動力取出機構４３０は、前記ＰＴＯ軸１８から前記耕耘軸４１１へ至る伝動経路から回転動力を取り出すように構成されている。
【００４５】
詳しくは、前記動力取出機構４３０は、前記ＰＴＯ軸１８から前記耕耘軸４１１へ至る伝動経路のうち、前記位置固定従動軸４１５ａから回転動力を取り出すように構成されている。
具体的には、前記動力取出機構４３０は、第１及び第２伝動プーリー４３１，４３２並びに伝動ベルト４３３を備えている。
前記第１伝動プーリー４３１は、前記位置固定従動軸４１５ａに軸線回り相対回転不能に支持されており（図５参照）、前記第２伝動プーリー４３２は、前記砕土用伝動機構４４０における後述する砕土用入力軸４４３に軸線回り相対回転不能に支持されている。そして、前記伝動ベルト４３３は、前記第１及び第２伝動プーリー４３１，４３２に巻き掛けられている。ここでは、前記伝動ベルト４３３は、付勢部材４３４の付勢力にてテンションローラ４３５によって張設されている。
【００４６】
斯かる構成を備えた前記動力取出機構４３０は、前記位置固定従動軸４１５ａからの回転動力が前記砕土用入力軸４４３に伝達されるようになっている。
なお、前記位置固定従動軸４１５ａは、ここでは、図５に示すように、筒状部材４１５ａ’と、前記第１伝動プーリー４３１が設けられたプーリー軸４１５ａ”とを有しており、前記筒状部材４１５ｂ’の車輌幅方向外端部が前記プーリー軸４１５ａ’に外嵌され、固定部材ＢＬ（例えば、固定ボルト）によって固定されるようになっている。
【００４７】
前記砕土用伝動機構４４０は、前記動力取出機構４３０に作動連結された入力部４４１及び前記入力部４４１より下方に位置する出力部４４２（図４参照）を有している。
又、前記砕土軸４２２は、図４に示すように、前記出力部４４２に作動連結された状態で前記砕土用伝動ケース４５０に支持されている。
そして、前記砕土用伝動ケース４５０は、前記入力部４４１回り揺動可能に前記耕耘部４１０に支持されている。
【００４８】
図７は、前記砕土用伝動機構４４０を収容する前記砕土用伝動ケース４５０の概略構成図であり、図７（ａ）に、その縦断面図を示し、図７（ｂ）に、その側面図を示す。
図７に示すように、前記砕土用伝動機構４４０は、さらに、砕土用入力軸４４３と、第１及び第２伝動スプロケット４４４，４４５及び伝動チェーン４４６とを備えている。
前記砕土用入力軸４４３は、前記位置固定従動軸４１５ａと略平行に配設され、前記砕土用伝動ケース４５０の上端側に軸線回り相対回転自在に支持されている。
前記第１伝動スプロケット４４４は、前記砕土用入力軸４４３に軸線回り相対回転不能に支持されており、前記第２伝動プーリー４４５は、前記出力部４４２において前記砕土軸４２２に軸線回り相対回転不能に支持されている。そして、前記伝動チェーン４４６は、前記第１及び第２伝動スプロケット４４４，４４５に巻き掛けられている。
【００４９】
又、本実施の形態においては、前記砕土用伝動ケース４５０は、前記砕土用入力軸４４３回り揺動可能に前記砕土用伝動機構４４０を収容しており、前記砕土用伝動機構４４０は、前記砕土用伝動ケース４５０が前記砕土用入力軸４４３回りに揺動可能な状態で、前記砕土用入力軸４４３からの回転動力が前記砕土軸４２２に伝達されるようになっている。
【００５０】
図１から図４に示すように、前記整形部４２０は、前記整形板４２１，前記砕土軸４２２及び前記砕土部材４２３に加えて、前記整形板４２１を支持する整形フレーム４２４を備えている。
本実施の形態においては、前記整形フレーム４２４は、前記耕耘部４１０に支持された支持アーム４２４ａと、車輌幅方向に延びるように前記支持アーム４２４ａに支持されたツールバー４２４ｂと、前記ツールバー４２４ｂの車輌幅方向両端部において車輌幅方向の位置調整可能に支持された左右一対の支柱フレーム４２４ｃ，４２４ｃとを備えている。
詳しくは、前記支持アーム４２４ａは、前端部が、前記メインビーム４１６の車輌後方側に該メインビーム４１６に略平行に配設されたサポートビーム４１６ｅの車輌幅方向中央部に取り付けられ且つ後端部が前記ツールバー４２４ａの車輌幅方向中央部に一体的に連結されている。
【００５１】
前記整形板４２１は、前記左右一対の支柱フレーム４２４ｃ，４２４ｃに支持された左右一対のものとされており、該左右一対の支柱フレーム４２４ｃ，４２４ｃが前記ツールバー４２４ｂに対して車輌幅方向に位置調整されることで、整形される畦Ｆの幅を調節できるようになっている。
本実施の形態においては、前記左右一対の整形板４２１，４２１は、それぞれ、前記耕耘爪４１２が設けられた前記耕耘軸４１１の外端部の車輌後方において前記耕耘爪４１２に対向して耕土を内側へ移動させる為の第１整形部４２１ａ，４２１ａと、上端部が下端部より内方に傾くように前記第１整形部４２１ａの車輌幅方向内端部より車輌後方へ延設された第２形成部４２１ｂ，４２１ｂとを有している。
【００５２】
詳しくは、前記一対の整形板４２１，４２１は、それぞれ、連結部材４２１ｃ，４２１ｃを介して前記一対の支柱フレーム４２４ｃ，４２４ｃに連結されている。ここでは、前記連結部材４２１ｃ，４２１ｃは、それぞれ、前記一対の支柱フレーム４２４ｃ，４２４ｃの下端部に設けられた箱形部に挿通され、ボルト等の固定部材によって固定されている。
又、前記第２形成部４２１ｂ，４２１ｂの内面には、それぞれ、土付着防止板４２１ｂ’，４２１ｂ’（例えば、プラスチック板）が設けられている。
【００５３】
前記整形部４２０は、前記構成に加えて、前記砕土部材４２３の回転軌跡Ｋ１の上方を覆うように配設された整形前部上面カバー４２５と、前記砕土部材４２３の回転軌跡Ｋ１の後方を覆うように配設された整形後部上面カバー４２６とを備えている。
本実施の形態においては、前記整形前部上面カバー４２５は、後端部４２５ａが前記ツールバー４２４ｂに一体的に連結されており、前端部４２５ｂが前記耕耘上面カバー４１９ａの上面に配置されている。
前記整形後部上面カバー４２６は、前記ツールバー４２４ｂに車輌幅方向に沿って設けられた枢着軸４２４ｂ’を介して回動可能に連結されている。
【００５４】
又、前記整形後部上面カバー４２６の内面には、土付着防止板４２６ｂ’（例えば、プラスチック板）が設けられている。
なお、この土付着防止板４２６ｂ’は、前記左右一対の支柱フレーム４２４ｃ，４２４ｃが前記ツールバー４２４ｂに対して車輌幅方向に位置調整される際に、前記整形後部上面カバー４２６と前記第２整形部４２１ｂ，４２１ｂとの間で前記砕土部材４２３の回転軌跡Ｋ１の上方を覆うことができるように、車輌幅方向に進退可能とされている。ここでは、前記土付着防止板４２６ｂ’は、車輌幅方向両端部に設けられた一対の延長板４２６ｂ”，４２６ｂ”であって、車輌幅方向に延びる長孔Ｍを有する一対の延長板４２６ｂ”，４２６ｂ”を有している。前記延長板４２６ｂ，４２６ｂ”は、それぞれ、前記長孔Ｍに挿通されるボルト等の固定部材によって車輌幅方向両端部に車輌幅方向に沿って位置調整可能に取り付けられている。これにより、前記土付着防止板４２６ｂ’は、車輌幅方向に進退できるようになっている。
【００５５】
さらに、図３に示すように、前記ツールバー４２４ｂの車輌幅方向中央部には、後方へ延びる左右一対のハンガーフレーム４２７，４２７が延設されている。
そして、前記整形後部上面カバー４２６の上面後端側と前記左右ハンガーフレーム４２７，４２７との間には左右一対のハンガー機構４８０，４８０が設けられており、前記整形後部上面カバー４２６は、該ハンガー機構４８０，４８０を介して、前記枢着軸４２４ｂ’回りに上下動し得るようになっている。
【００５６】
詳しくは、前記各ハンガーフレーム４２７には、車輌幅方向に沿った軸線回り回動自在とされた受圧軸体４２７ａが配置されている。該受圧軸体４２７ａには、軸線と直交する方向に貫通孔が設けられている。
前記各ハンガー機構４８０は、ハンガーロッド４８１と、鎮圧用付勢部材（ここでは圧縮バネ）４８２とを備えている。
【００５７】
前記ハンガーロッド４８１は、前記受圧軸体４２７ａの前記貫通孔に摺動可能に挿通された細長い丸棒形のものとされており、下端部が、車輌幅方向に沿った支軸４８１ａを介して、前記整形後部上面カバー４２６の後部上面に設けられたブラケット４２６ａに回動自在に連結されており、下方側で且つ前記支軸４８１ａより上方側において固設された支持部材４８１ｂを有している。
前記鎮圧用付勢部材４８２は、前記支持部材４８１ｂ及び前記ハンガーフレーム４２７の間に位置するように該ハンガーロッド４８１に外挿されている。
【００５８】
こうして前記ロータリ整形機４００は、図８に示すように、前記耕耘部４１０によって土Ｇを粗く耕耘し、前記耕耘部４１０によって粗く耕耘された土Ｇ’を前記整形板４２１によって畦形状に整形し、さらに前記整形板４２１によって整形された粗い土の畦Ｆの上部Ｔを、前記砕土軸４２２に設けられた前記砕土部材４２３によってより細かく砕土することができ、従って、植付領域となる上面部がより細かく砕土された畦を一工程で形成できるようになっている。
【００５９】
次に、本実施の形態に係るゲージ輪構造５００について詳述する。
図９は、前記ゲージ輪構造５００を右斜め上略側方から視た斜視図である。
又、図１０は、畦Ｆの脇Ｅが前記ゲージ輪構造５００によって整地される状態を示す模式図であって、図１０（ａ）は、該整地状態を側面から視た図であり、図１０（ｂ）は、該整地状態を背面から視た図であり、図１０（ｃ）は、該整地状態を平面から視た図である。
なお、図９及び図１０において、後述するゲージ輪フレーム４６２は図示を省略してあり、さらに図１０（ｃ）において、後述するゲージ輪アーム４６３等は図示を省略してある。
【００６０】
前記ゲージ輪構造５００は、図１から図４並びに図９及び図１０に示すように、ゲージ輪フレーム４６２と、ゲージ輪アーム４６３と、ゲージ輪４６４と、整地板４６６とを備えている。
なお、前記ゲージ輪構造５００は、左右一対備えている。図９及び図１０では、一対の構成のうち、何れか一方の構成を示しているが、一方の構成は他方の構成と実質的に同一構成とされている。従って、図９及び図１０においては、何れか一方の構成に代表させて示している。
【００６１】
前記ゲージ輪フレーム４６２は、前記ロータリ整形機４００のフレーム体（ここでは前記上リンクフレーム４０１）に対して位置調整可能に連結されている。
前記ゲージ輪アーム４６３は、上下方向に延びるように前記ゲージ輪フレーム４６２に支持されている。
又、前記ゲージ輪４６４は、前記ロータリ整形機４００における前記整形板４２１より車輌幅方向外方に位置するように前記ゲージ輪アーム４６３に車輌幅方向に沿った軸線回り回転自在に支持されている。
【００６２】
斯かる構成を備えたゲージ輪構造５００は、前記フレーム体４０１に対する前記ゲージ輪４６４の上下方向相対位置が調整されることにより、前記耕耘爪４１２による耕耘深さｇ１が設定され得るようになっている。
【００６３】
そして、前記整地板４６６は、前記整形板４２１より車輌幅方向外方に位置するように前記ゲージ輪アーム４６３に車輌幅方向に沿った軸線回り揺動自在に支持されており、前記ゲージ輪４６４が接地している状態において、前記整地板４６６の少なくとも一部が該整地板４６６の自重によって前記ゲージ輪４６４の接地面Ｓに接地するように構成されている。
ここで、前記ゲージ輪４６４の接地面Ｓには、前記ゲージ輪４６４が地面Ｇ”に接地する前の該地面Ｇ”のゲージ輪進行方向（図１０の矢印Ｘ参照）下流側部分の接地面Ｓ１及び前記ゲージ輪４６４が地面Ｇ”に接地した後の該地面Ｇ”のゲージ輪進行方向Ｘ上流側部分の接地面Ｓ２が含まれる。
【００６４】
本実施の形態に係るゲージ輪構造５００によれば、前記ゲージ輪４６４が接地している状態において、前記整地板４６６の少なくとも一部が該整地板４６６の自重によって前記接地面Ｓに接地するように構成されているので、前記ロータリ整形機４００が前記整形板４２１によって畦Ｆを形成する際に、該畦Ｆの脇Ｅにおいて、前記整地板４６６が前記接地面Ｓに応じて車輌幅方向に沿った軸線回りに揺動されるように該接地面Ｓを整地でき、これにより、該形成される畦Ｆの脇Ｅの平坦性を向上させることができる。
【００６５】
例えば、前記ロータリ整形機４００が水田や雨が降った後等の水分の多い軟弱な圃場に畦Ｆを形成する場合であっても、前記整地板４６６によって、該畦Ｆの脇Ｅに前記ゲージ輪４６４の走行跡に起因する凹部が形成されることを有効に防止でき、これにより農作物の植付等の作業時に該脇Ｅを歩行することが容易となる。
又、畦Ｆを形成する際に、該畦Ｆの脇Ｅに土がこぼれ落ちることがあっても、前記整地板４６６によって、該落ちこぼれた土を除去するように整地でき、これにより、該畦Ｆの脇Ｅを平坦にすることが可能となる。
又、前記整地板４６６が前記ゲージ輪アーム４６３に車輌幅方向に沿った軸線回り揺動自在に支持されているので、例えば、前記耕耘深さｇ１の設定によって、前記整地板４６６の前記接地面Ｓに対する角度が変化することがあっても、前記整地板４６６が前記接地面Ｓを整地する際に、該接地面Ｓに応じて揺動することにより、該整地板４６６を該接地面Ｓに良好に接地させることができる。
【００６６】
前記ゲージ輪構造５００について、さらに具体的に説明すると、前記ゲージ輪構造５００は、ここでは、図１から図３に示すように、耕深調節ハンドル４６５ａを有する耕深調節軸４６５の該耕深調節ハンドル４６５ａが手動で回転操作されて該耕深調節軸４６５が伸縮されることで、前記フレーム体４０１に対する前記ゲージ輪４６４の上下方向相対位置が調整され、前記ゲージ輪４６４が上下することにより、前記ロータリ整形機４００全体が下降或い上昇し、これにより、前記耕深深さｇ１が変更され得るようになっている。
【００６７】
詳しくは、前記ゲージ輪フレーム４６２は、車輌幅方向に延びていると共に、前記メインビーム４１６，４１６に耕深調節フレーム４６１を介して上下揺動自在に連結されており、前記耕深調節軸４６５によって、前記上リンクフレーム４０１に対して位置調整可能とされている。
即ち、前記耕深調節フレーム４６１は、車輌前後方向に延びており、前端側が前記メインビーム４１６，４１６に車輌幅方向に沿った軸線回り回動自在に支持され且つ後端部が前記ゲージ輪フレーム４６２に連結されている。
又、前記耕深調節軸４６５は、前記上リンクフレーム４０１の後端側と前記ゲージ輪フレーム４６２とをつなぐ伸縮調節可能なものとされており、伸縮調節を行う為に回転操作する前記耕深調節ハンドル４６５ａを有している。
【００６８】
前記ゲージ輪アーム４６３は、上下方向に延びており、前記整形板４２１より車輌幅方向外方に位置するように車輌幅方向に移動可能に前記ゲージ輪フレーム４６２に支持されている。こうすることで、前記ゲージ輪アーム４６３は、調節される畦Ｆの幅に応じて、車輌幅方向に移動できるようになっている。
詳しくは、前記ゲージ輪アーム４６３は、上端側において筒状の外嵌部材４６３ａを有していて、該外嵌部材４６３ａが前記ゲージ輪フレーム４６２に車輌幅方向摺動自在に外嵌されており、ボルト等の固定部材によって、車輌幅方向位置調整可能に固定されている。
【００６９】
前記ゲージ輪４６４は、前記ゲージ輪アーム４６３の下端部に車輌幅方向に沿った回転軸Ｐ１回りに回転自在に支持されている。
【００７０】
前記整地板４６６は、前記接地面Ｓに接地する整地板本体４６６ａと、前記ゲージ輪アーム４６３に連結される支持アーム４６６ｂとを備えている。
前記整地板本体４６６ａは、前端部において前記接地面Ｓから上方に開くように屈曲していると共に、上面から上方に突出するように設けられた支持部（ここでは車輌前後方向に延びる左右一対の支持部４６６ａ’，４６６ａ’）を有している。
前記支持部４６６ａ’，４６６ａ’には、車輌幅方向に沿った貫通孔４６６ａ”が設けられている。
【００７１】
又、前記支持アーム４６６ｂは、上端部が前記ゲージ輪アーム４６３に支持されており、下端部において車輌幅方向に沿った貫通孔４６６ｂ”が設けられている。
斯かる構成を備えることにより、前記整地板４６６は、前記整地板本体４６６ａの前記貫通孔４６６ａ”に挿通される枢支軸Ｐ２が前記支持アーム４６６ｂの前記貫通孔４６６ｂ”に挿通されることで、前記整地板本体４６６ａが前記支持アーム４６６ｂを介して車輌幅方向に沿った軸線回り揺動自在に前記ゲージ輪アーム４６３に支持されるようになっている。
【００７２】
本実施の形態に係るゲージ輪構造５００においては、前記整地板４６６は、前記ゲージ輪アーム４６３に対して上下位置調整可能に固定されている。
斯かる構成では、前記整地板４６６の前記ゲージ輪アーム４６３に対する上下方向相対位置を調整できるので、前記整地板４６６が前記接地面Ｓに良好に接地された状態で整地することが可能となる。例えば、土質や土に含有する水分量の違いにより、前記ゲージ輪４６４の沈下量に差異が生じても、前記整地板４６６が前記接地面Ｓを整地する際に、前記整地板４６６を前記ゲージ輪４６４の沈下量に応じて位置調整でき、これにより、前記整地板４６６が前記接地面Ｓを押し過ぎたり、前記接地面Ｓから不必要に離反することなく、前記整地板４６６を前記接地面Ｓに良好に接地させることができる。
【００７３】
具体的には、前記整地板４６６は、前記支持アーム４６６ｂの上端部に設けられた外嵌部材４６６ｃをさらに備えている。
前記外嵌部材４６６ｃは、前記ゲージ輪アーム４６３に上下方向摺動自在に外嵌されており、ボルト等の固定部材４６６ｄによって、上下方向位置調整可能に固定されている。
なお、図１０（ａ）に示す如く、前記ゲージ輪アーム４６３には、長手方向に沿って所定ピッチで取付孔４６３ｂが設けられていると共に、前記外嵌部材４６６ｃには、位置決め孔４６６ｃ’が設けられており、これにより、前記整地板４６６は、前記位置決め孔４６６ｃ’に挿通される取付ピン等の固定部材４６６ｃ”が前記取付孔４６３ｂ，４６３ｂ，…のうち何れかの孔に取り付けられることによって、前記ゲージ輪アーム４６３に位置決め固定されるようになっていてもよい。
【００７４】
又、本実施の形態に係るゲージ輪構造５００においては、前記整地板４６６（ここでは、前記整地板４６６における前記整地板本体４６６ａ）には、上面及び下面を貫通するスリット４６６ｅが設けられている。
図１１は、前記整地板４６６における前記スリット４６６ｅ部分を示す平面図である。
図４，図１０及び図１１に示すように、前記ゲージ輪４６４は、前記スリット４６６ｅから突出させて接地するように構成されており、前記スリット４６６ｅの前端部４６６ｅ’が前記ゲージ輪４６４に当接する姿勢と前記スリット４６６ｅの後端部４６６ｅ”が前記ゲージ輪４６４に当接する姿勢との間で前記整地板４６６が揺動可能とされている。
斯かる構成では、前記整地板４６６の揺動範囲を前記スリット４６６ａの前端部４６６ａ’及び後端部４６６ａ”で規制することができる。
なお、前記スリット４６６ｅは、前記ゲージ輪４６４の側面４６４ａと対向する部分Ｄ（図１１の斜線参照）の少なくとも一部が開放していてもよい。
【００７５】
なお、本実施の形態に係るゲージ輪構造５００においては、図３，図９及び図１０に示すように、土除け部材４６７をさらに備えていてもよい。
前記土除け部材４６７は、前記ゲージ輪４６４の外周面４６４’の少なくとも一部と（ここでは、前記ゲージ輪４６４の外周面４６４’の周方向の一部に幅方向の全域に亘って）対向するように前記ゲージ輪アーム４６３に設けられている。
斯かる構成では、前記ゲージ輪４６４の外周面４６４’に付着する土を効果的に除去することができ、これにより、前記ゲージ輪４６４の走行性を向上させることができる。
【図面の簡単な説明】
【００７６】
【図１】図１は、本実施の形態に係るロータリ整形機が適用された作業車輌の概略側面図である。
【図２】図２は、図１に示す作業車輌におけるロータリ整形機部分を示す図であって、図２（ａ）は、該ロータリ整形機の概略側面図であり、図２（ｂ）は、該ロータリ整形機において、カバー部材等の一部の部材を取り外した状態を示す概略側面図である。
【図３】図３は、図１に示すロータリ整形機を左斜め上後方から視た概略斜視図である。
【図４】図４は、図１に示すロータリ整形機を斜め下後方から視た概略斜視図である。
【図５】図５は、耕耘部の耕耘用動力伝動機構部分の展開断面図を示す。
【図６】図６は、ロータリ整形機の動力取出機構及び砕土用伝動機構部分を右斜め上後方から視た概略斜視図である。
【図７】図７は、砕土用伝動機構を収容する砕土用伝動ケースの概略構成図であり、図７（ａ）に、その縦断面図を示し、図７（ｂ）に、その側面図を示す。
【図８】図８は、図１に示すロータリ整形機によって土が耕耘，整形及び砕土される一連の作業を示す模式図である。
【図９】図９は、ゲージ輪構造を右斜め上略側方から視た斜視図である。
【図１０】図１０は、畦の脇がゲージ輪構造によって整地される状態を示す模式図であって、図１０（ａ）は、該整地状態を側面から視た図であり、図１０（ｂ）は、該整地状態を背面から視た図であり、図１０（ｃ）は、該整地状態を平面から視た図である。
【図１１】図１１は、整地板におけるスリット部分を示す平面図である。
【符号の説明】
【００７７】
４００      ロータリ整形機
４０１      フレーム体
４２１      整形板
４６２      ゲージ輪フレーム
４６３      ゲージ輪アーム
４６４      ゲージ輪
４６６      整地板
４６６ａ    スリット
４６６ａ’  スリットの前端部
４６６ａ”  スリットの後端部
４６７      土除け部材
５００      ゲージ輪構造
Ｓ          接地面
【図１】
2008035765.tif 000003
【図２】
2008035765.tif 000004
【図３】
2008035765.tif 000005
【図４】
2008035765.tif 000006
【図５】
2008035765.tif 000007
【図６】
2008035765.tif 000008
【図７】
2008035765.tif 000009
【図８】
2008035765.tif 000010
【図９】
2008035765.tif 000011
【図１０】
2008035765.tif 000012
【図１１】
2008035765.tif 000013